(57)【特許請求の範囲】
【請求項１】
ドアの室外側に設けられる本体部と、
前記本体部の表面側に出退自在に設けられた複数の押しボタンと、
前記各押しボタンに対応して、前記本体部の裏面側から当該本体部内に抜き差し自在に差し込まれた解錠用及び非解錠用の複数のタンブラと、を備え、
前記押しボタンにより前記解錠用のタンブラのみが押動操作されると、当該タンブラが前記本体部の表裏方向の裏側へ移動することで解錠可能な状態となる押しボタン錠であって、
前記ドアの室外側に固定され、前記本体部の裏面側が着脱自在に取り付けられるベース部と、
前記本体部の裏面側が前記ベース部に取り付けられた状態で当該本体部をロックするロック部と、
前記ドアの室内側に設けられ、前記ロック部による前記本体部のロックを解除操作する操作部と、
を備えることを特徴とする押しボタン錠。
【請求項２】
前記ロック部は、前記本体部をロックした状態で、前記押しボタンにより前記解錠用のタンブラのみが押動操作されたときに限り、当該本体部のロックを解除可能な状態となる
請求項１に記載の押しボタン錠。
【請求項３】
前記本体部は、その裏側へ突出する突出部を有し、
前記ベース部は、当該ベース部に前記本体部が取り付けられた状態で、前記突出部が挿入される挿入孔を有し、
前記ロック部は、前記挿入孔の周壁から径内方向へ出退自在な第１係合部と、前記挿入孔の周壁であって前記第１係合部に対して径方向反対側の位置から径内方向へ出退自在な第２係合部と、を有し、
前記突出部は、前記挿入孔に挿入された状態で、前記第１係合部および第２係合部が前記挿入孔の径内方向に突出して当該突出部を径方向両側から挟み込むように係合することで、前記挿入孔から離脱不能に保持される
請求項１又は２に記載の押しボタン錠。
【請求項４】
前記本体部は、前記表裏方向と直交する方向に所定間隔をおいて複数の前記突出部を有し、
前記ベース部は、前記複数の突出部がそれぞれ挿入される複数の前記挿入孔を有し、
前記ロック部は、前記複数の挿入孔それぞれにおいてその周壁から径内方向へ出退自在な複数の前記第１及び第２係合部を有する
請求項３に記載の押しボタン錠。
【請求項５】
前記本体部には、その裏側に開口するとともに前記複数のタンブラそれぞれが差し込まれる複数の挿通孔が形成されており、
前記本体部の裏側に着脱自在に取り付けられ、前記複数の挿通孔の開口を施蓋する裏蓋と、
前記裏蓋を施蓋状態で保持する保持部と、をさらに備え、
前記保持部は、前記本体部の裏側において、施蓋状態の前記裏蓋をその裏面側から押さえる当接位置と押さえない非当接位置との間で移動自在に取り付けられた押さえ板を有する
請求項１〜４のいずれか１項に記載の押しボタン錠。
【発明の詳細な説明】
【技術分野】
【０００１】
本発明は、ドアなどに用いられ、複数の押しボタンを備えた押しボタン錠に関する。
【背景技術】
【０００２】
例えば、ドアを施錠する施錠装置には、鍵を不要とする解錠コード入力式の押しボタン錠が提供されている。このような押しボタン錠では、互いに異なる数字等が表示された複数の押しボタンがケーシングに対し出退自在に設けられており、これらの押しボタンのうち上記解錠コードに一致した押しボタンのみが押動操作されたときに、この押しボタン錠は解錠するようになっている（例えば、特許文献１参照）。
【０００３】
具体的には、上記のような従来の押しボタン錠は、そのケーシングの外側で回動可能に取り付けられたドアノブなどのドア開閉用の操作部材と、ケーシング内で前記操作部材に同軸心状に取り付けられた駆動ギヤと、上記複数の押しボタン毎に設けられ、対応する押しボタンへの押動操作にしたがってケーシング内をその裏側に移動する複数個のタンブラとを備えている。また、この押しボタン錠には、ケーシング内でタンブラの移動方向と直交する方向に移動自在に設けられるとともに、各タンブラと係合可能な凸部を内周側に形成した枠板状のスライダと、操作部材の回動動作に伴って回動する上記駆動ギヤの回動運動をスライダの直線運動に変換する伝動機構とを備えた施錠ロック機構が設けられており、タンブラとスライダ凸部とが係合することで当該押しボタン錠は施錠状態で維持される。
【０００４】
一方、上記解錠コードに一致した押しボタン及びこれに接続されたタンブラのみが押動操作されると、全てのタンブラとスライダの凸部との係合状態が解かれて、スライダが移動可能となり、施錠ロック機構は操作部材に対するロック状態を解除する。すなわち、スライダが伝動機構を介して伝達される操作部材への操作力（回動力）にしたがってスライド移動し、これによって押しボタン錠はドアが開かれるのを許容する。
【０００５】
施錠ロック機構には、各押しボタンに対応する位置に挿通孔が設けられており、解錠コードに一致する押しボタンに対応する挿通孔には解錠用のタンブラが挿通され、解錠コードに一致しない他の押しボタンに対応する挿通孔には非解錠用のタンブラが挿通されている。したがって、上記施錠ロック機構では、任意の挿通孔に挿通されている解錠用のタンブラと、他の任意の挿通孔に挿通されている非解錠用のタンブラとを互いに差し替えることで、解錠コードを自由に変更できるようになっている。
【先行技術文献】
【特許文献】
【０００６】
【特許文献１】特開２００５−２８２０３２号公報
【発明の概要】
【発明が解決しようとする課題】
【０００７】
しかしながら、上記のような従来の押しボタン錠では、解錠コードを変更する際に、ドアの室内側および室外側に取り付けられている全ての部品を取り外し、施錠ロック機構等を分解する必要があるため、解錠コードの変更作業に多大な時間と手間を要するという問題があった。
本発明はこのような問題点に鑑みてなされたものであり、解錠コードの変更を容易に行うことができる押しボタン錠を提供することを目的とする。
【課題を解決するための手段】
【０００８】
本発明の押しボタン錠は、ドアの室外側に設けられる本体部と、前記本体部の表面側に出退自在に設けられた複数の押しボタンと、前記各押しボタンに対応して、前記本体部の裏面側から当該本体部内に抜き差し自在に差し込まれた解錠用及び非解錠用の複数のタンブラと、を備え、前記押しボタンにより前記解錠用のタンブラのみが押動操作されると、当該タンブラが前記本体部の表裏方向の裏側へ移動することで解錠可能な状態となる押しボタン錠であって、前記ドアの室外側に固定され、前記本体部の裏面側が着脱自在に取り付けられるベース部と、前記本体部の裏面側が前記ベース部に取り付けられた状態で当該本体部をロックするロック部と、前記ドアの室内側に設けられ、前記ロック部による前記本体部のロックを解除操作する操作部と、を備えることを特徴とする。
【０００９】
上記のように構成された押しボタン錠によれば、通常時は、裏面側からタンブラが挿し込まれた本体部の裏面側を、ドアの室外側に固定されたベース部に取り付けた状態でロック部によりロックすることで、本体部の裏面側からタンブラを抜き差しすることができない状態、すなわち解錠コードの変更を行うことができない状態に保持することができる。
【００１０】
上記の通常時の状態から、ドアの室内側に設けられた操作部により、ロック部による本体部のロックを解除操作し、本体部をベース部から取り外すことで、本体部の裏面側からタンブラを抜き差し自在な状態とすることができる。これにより、本体部に差し込まれている任意の解錠用のタンブラと任意の非解錠用タンブラとを差し替えることで、解錠コードを変更することができる。したがって、従来のように、ドアの室内側および室外側に取り付けられている押しボタン錠の全ての部品を取り外す必要がないので、解錠コードの変更を容易に行うことができる。
また、前記操作部はドアの室内側に設けられているので、ユーザ以外の第三者は、ドアの室外側にいる限り、前記操作部を操作することができない。したがって、第三者によって解錠コードが勝手に変更されるのを防止することができる。
【００１１】
前記押しボタン錠において、前記ロック部は、前記本体部をロックした状態で、前記押しボタンにより前記解除用のタンブラのみが押動操作されたときに限り、当該本体部のロックを解除可能な状態となるのが好ましい。
この場合、押しボタンにより解錠用のタンブラのみが押動操作された場合、すなわち解錠コードを知っている場合に限り、ロック部による本体部のロックを解除操作することができる。このため、ユーザ以外の第三者は、ドアの室内側にいても解錠コードを知らない限り、解錠コードの変更を行うことができない。したがって、第三者によって解錠コードが勝手に変更されるのをさらに効果的に防止することができる。
【００１２】
前記押しボタン錠において、前記本体部は、その裏側へ突出する突出部を有し、前記ベース部は、当該ベース部に前記本体部が取り付けられた状態で、前記突出部が挿入される挿入孔を有し、前記ロック部は、前記挿入孔の周壁から径内方向へ出退自在な第１係合部と、前記挿入孔の周壁であって前記第１係合部に対して径方向反対側の位置から径内方向へ出退自在な第２係合部と、を有し、前記突出部は、前記挿入孔に挿入された状態で、前記第１係合部および第２係合部が前記挿入孔の径内方向に突出して当該突出部を径方向両側から挟み込むように係合することで、前記挿入孔から離脱不能に保持されるのが好ましい。
この場合、本体部の突出部は、ベース部の挿入孔に挿入された状態で、ロック部の第１及び第２係合部により挿入孔の径方向両側から挟み込まれた状態で当該挿入孔から離脱不能に保持される。これにより、本体部をベース部にロックした状態で、本体部が前記挿入孔の径方向にがたつくのを防止することができる。
【００１３】
前記押しボタン錠において、前記本体部は、前記表裏方向と直交する方向に所定間隔をおいて複数の前記突出部を有し、前記ベース部は、前記複数の突出部がそれぞれ挿入される複数の前記挿入孔を有し、前記ロック部は、前記複数の挿入孔それぞれにおいてその周壁から径内方向へ出退自在な複数の前記第１及び第２係合部を有するのが好ましい。
この場合、本体部が前記挿入孔の径方向にがたつくのをさらに効果的に防止することができる。
【００１４】
前記押しボタン錠において、前記本体部には、その裏側に開口するとともに前記複数のタンブラそれぞれが差し込まれる複数の挿通孔が形成されており、前記本体部の裏側に着脱自在に取り付けられ、前記複数の挿通孔の開口を施蓋する裏蓋と、前記裏蓋を施蓋状態で保持する保持部と、をさらに備え、前記保持部は、前記本体部の裏側において、施蓋状態の前記裏蓋をその裏面側から押さえる当接位置と押さえない非当接位置との間で移動自在に取り付けられた押さえ板を有するのが好ましい。
この場合、本体部をベース部から取り外した状態で、本体部側の押さえ板を当接位置から非当接位置へ移動操作することで、本体部から裏蓋を取り外すことができ、これによって、各挿通孔に挿通されているタンブラを差し替えることができる。したがって、本体部から裏蓋を取り外すときにドライバー等の工具を用いる必要がないので、解錠コードの変更をさらに容易に行うことができる。
【発明の効果】
【００１５】
本発明の押しボタン錠によれば、解錠コードの変更を容易に行うことができる。
【図面の簡単な説明】
【００１６】
【図１】本発明の一実施形態に係る押しボタン錠の取付状態を示す側面図である。
【図２】（ａ）及び（ｂ）は、それぞれ上記押しボタン錠を室外側及び室内側から見た外観図である。
【図３】ケーシング内部の要部構成を示す拡大縦断面図である。
【図４】ケーシング内部を室外側から見たときの要部構成を示す拡大断面図である。
【図５】図４のＶ−Ｖ線断面図である。
【図６】（ａ）及び（ｂ）は、それぞれ非解錠用のタンブラ及び解錠用のタンブラの正面図である。
【図７】タンブラとクリア作動体との関係を示す斜視図である。
【図８】回動体及びカム部材を室内側から見たときの拡大平面図である。
【図９】本体部を室内側から見たときの平面図である。
【図１０】ベース部及び基台の内部構成を示す縦断面図である。
【図１１】ベース部の外側ベース体を室外側から見たときの平面図である。
【図１２】外側ベース体と第１及び第２ロックプレートとを分解して室内側から見たときの平面図である。
【図１３】ベース部の内部構成を示す横断面図である。
【図１４】第１及び第２ロックプレートのロック解除位置の状態を示す平面図である。
【図１５】第１及び第２ロックプレートのロック位置の状態を示す平面図である。
【図１６】規制部材及びコイルバネを示す図１０の要部拡大断面図である。
【図１７】規制部材及びコイルバネを示す横断面図である。
【図１８】規制部材の規制解除位置の状態を示す拡大断面図である。
【発明を実施するための形態】
【００１７】
次に、本発明の好ましい実施形態について添付図面を参照しながら説明する。尚、以下の説明では、本発明の押しボタン錠を、例えば家屋の玄関ドアに適用した場合について説明する。
【００１８】
［全体構成］
図１は、本発明の一実施形態に係る押しボタン錠の取付状態を示す側面図である。また、図２の（ａ）及び（ｂ）は、それぞれ上記押しボタン錠を室外側及び室内側から見た外観図である。図１及び図２において、本実施形態の押しボタン錠１は、ラッチＤ１が出退自在に取り付けられたドアＤに設けられている。押しボタン錠１は、ドアＤの室外側に取り付けられたベース部２及び本体部３と、ドアＤの室内側に取り付けられた基台４および飾り蓋５とを備えている。
【００１９】
ベース部２と基台４とは、ドアＤを室内側から貫通する取付ボルト６ａ，６ｂ（図１０も参照）によりドアＤの室内外で対応する位置に固定されている。本体部３には、複数（図例では二列六段に配置された合計１２個）の押しボタン７と、室外側からドアＤを開閉するための室外ノブ８とが設けられている。また、飾り蓋５には、室内側からドアＤを開閉するための室内ノブ９が設けられている。室外ノブ８及び室内ノブ９は、それぞれ室外側及び室内側に突出するよう構成されたつまみ部８ａ及び９ａを備えたものであり、対応する本体部３及び飾り蓋５に回動可能に取り付けられている。
【００２０】
また、これらのノブ８、９は、室内外において同軸心状に配置されており、ドアＤを貫通配置されたラッチ駆動軸１０（図１０も参照）の一端部側及び他端部側に連結されている。このラッチ駆動軸１０には、ドアＤの内部で上記ラッチＤ１が接続されており、当該ラッチ駆動軸１０が室外ノブ８または室内ノブ９の回動動作に応じて回動することにより、ラッチＤ１をドアＤの内側に引き込むようになっている。これにより、ラッチＤ１は、その突出端部が図示しないドア枠のラッチ受け金具に係合した係合状態から解除されるよう飾り蓋５内に移動して、ドアＤが開かれるのを許容する。
【００２１】
また、室外ノブ８及び室内ノブ９のうち、室外ノブ８は、後述の施錠ロック機構によってその回動動作がロックされるドア開閉用の操作部材を構成するものであり、後に詳述するように、その回動中心に対して同軸心状に配置された回動体及び駆動ギヤを有している。そして、上記施錠ロック機構が、室外ノブ８の回動動作をロックすることにより、ラッチ駆動軸１０の回動及びこれに伴うラッチＤ１の移動を阻止して、押しボタン錠１はドアＤの施錠状態を維持する。一方、室内ノブ９は、施錠ロック機構の動作状態に関わらず、ラッチ駆動軸１０及びラッチＤ１を順次回動させるよう構成されており、随時ドアＤを施錠または解錠状態にすることが可能となっている。
【００２２】
［本体部］
図３は、本体部３の内部構成を示す拡大縦断面図である。図２及び図３において、本体部３は、ケーシング３ａと、その内部に設けられた施錠ロック機構１１とを備えている。ケーシング３ａの表面側には、上記複数の押しボタン７がそれぞれ出退自在に設けられており、これらの押しボタン７は、押しボタン錠１を解錠状態とするための解錠コードをデジタル入力できるよう構成されている。すなわち、各押しボタン７近傍のケーシング３ａの表面には、例えば、押しボタン７への押動操作に伴って解錠コードとして入力される数字（０〜９）およびアルファベット（Ａ，Ｂ）が刻印され表示されている。
【００２３】
図４は、本体部３の内部を室外側から見たときの要部構成を示す拡大断面図である。図５は、図４のＶ−Ｖ線断面図である。図３〜図５において、各押しボタン７には、ケーシング３ａ内をその表裏方向（図３の左右方向）に移動可能に設けられたタンブラ１２が連結されている。これらの各タンブラ１２は、対応する押しボタン７への押動操作に応じて、ケーシング３ａ内の非押動操作位置から当該ケーシング３ａの表裏方向裏側の押動操作位置に移動され、当該押動操作位置で保持されるよう構成されている。
【００２４】
図５に示すように、複数のタンブラ１２は、上記解錠コードを構成するための所定数の解錠用のタンブラ１２ａと、施錠ロック機構１１によるロック状態を維持するための所定数の非解錠用のタンブラ１２ｂとからなる。押しボタン錠１は、予め設定された解錠コードが正確に入力された場合、すなわち所定数の解錠用のタンブラ１２ａのみを押しボタン７によって押動操作位置に移動させた場合にのみ、施錠ロック機構１１によるロック状態が解除されるようになっている。
【００２５】
＜施錠ロック機構＞
図５において、施錠ロック機構１１は基板１６を備えており、この基板１６は、その幅方向中央に形成された案内溝１４と、この案内溝１４の幅方向両側に形成された複数のタンブラ挿通孔（挿通孔）１５とを有する。案内溝１４は、ケーシング３ａの幅方向中央において長手方向（図４の上下方向）に延設されたクリア作動体１３の当該長手方向への摺動を案内するものである。
基板１６は、ケーシング３ａに対して図示しないボルトにより着脱自在に取り付けられている。尚、これらのボルト及びが当該ボルトが螺合されるボルト穴は、後述するロックボルト４４が螺合されるボルト穴３ａ１とケーシング３ａの幅方向で平行な位置に形成されている。
【００２６】
図３及び図４において、施錠ロック機構１１には、基板１６に対して、上記長手方向でケーシング３ａの上側（図３の上側）にスライド移動可能、かつ当該基板１６の室外側に摺動可能に配置されたスライダ１７と、上記室外ノブ８への回動操作に応じてスライダ１７を移動させる伝動機構としての遊星ギヤ機構１８と、スライダ１７に室外側で重合されたタンブラ支持台１９と、基板１６の室内側に形成された開口部分を施蓋する裏蓋２０とが設けられている。
【００２７】
各タンブラ挿通孔１５には、タンブラ１２が抜き差し自在に差し込まれている。各タンブラ１２は、タンブラ挿通孔１５内において室内外方向（図３の左右方向）に移動自在である。また、図５に示すように、各タンブラ１２はタンブラ支持台１９に設けた挿通孔１９ａにも移動自在に挿通されている。
【００２８】
＜スライダ＞
図４において、上記スライダ１７は、全てのタンブラ挿通孔１５を取り囲めるように構成された板状の枠体にて形成されたものであり、ケーシング３ａの上板との間に介装された圧縮バネ２１によって遊星ギヤ機構１８側に常時付勢された状態で、遊星ギヤ機構１８によって上記長手方向に動かされるようになっている。
【００２９】
また、スライダ１７の内周の左右両縁部には、各タンブラ１２の幅方向一方側に対して係脱可能に構成された凹部１７ａ及び凸部１７ｂがスライド方向に連続して形成されている。さらに、図５に示すように、スライダ１７は、コイルバネ２２で室外側に付勢されたピン２３により支持されている。このため、タンブラ１２が押動時にスライダ１７に接触しても当該スライダ１７はコイルバネ２２に抗して室内側に移動する。これにより、タンブラ１２とスライダ１７との接触に伴う押しボタン７の押動感触の変化によって解錠コードが察知されるのを困難にしている。
【００３０】
＜クリア作動体＞
図５において、上記クリア作動体１３は、基板１６の案内溝１４内で上記スライダ１７と同じ方向（すなわち、上記長手方向）に摺動自在に設けられたものであり、タンブラ１２をその押動操作位置で保持する保持機能、及び長手方向に移動することにより押動操作位置で保持されたタンブラ１２をその非押動操作位置に戻すクリア機能が付与されている。つまり、クリア作動体１３の室内側には、位置決め部としての二股状の位置決めバネ２４がタンブラ１２毎に設けられており、当該位置決めバネ２４が押動操作位置に移動されたタンブラ１２を保持する（図７も参照）。
【００３１】
また、図４に示すように、クリア作動体１３は、ケーシング３ａ内で二列に並ぶタンブラ１２間に配置されており、ケーシング３ａの上板との間に介装された下降バネ２５により、上記スライダ１７とは独立して上記長手方向下側に常時付勢されている。また、図３に示すように、クリア作動体１３の下端部１３ａには、室外側に延設されてスライダ１７の内周下縁部と当接することで当該スライダ１７に対して係止される係止部分と、この係止部分から遊星ギヤ機構１８側に延ばされた延設部分が設けられている。そして、この下端部１３ａが、ケーシング３ａ内で室外ノブ８の上記回動体２８に設けられた後述のカム部材４０と接触することにより、クリア作動体１３は上記長手方向上側に摺動して、位置決めバネ２４により保持しているタンブラ１２を非押動操作位置に移動させる。
【００３２】
＜タンブラ＞
図６の（ａ）及び（ｂ）は、それぞれ非解錠用のタンブラ１２ｂ及び解錠用のタンブラ１２ａの正面図である。図５及び図６に示すように、上記タンブラ１２の幅方向一方側には、スライダ１７の凹部１７ａ及び凸部１７ｂと係脱する規制部１２ｃと解除溝１２ｄとが凹凸状に形成されている。また、タンブラ１２の幅方向他方側には、上記位置決めバネ２４の先端掛止部２４ａに掛止される係止部１２ｅが形成されている。各タンブラ１２は、その係止部１２ｅが形成されている側をケーシング３ａの中央側に向けるようにして上記タンブラ挿通孔１５に差し込まれている。
【００３３】
また、図５に示すように、各タンブラ１２に対向する上記裏蓋２０には、当該タンブラ１２をケーシング３ａの表面側に付勢する付勢部材としての戻しバネ２７を収納したバネ収納部２６が形成されており、各タンブラ１２は、対応する戻しバネ２７によって上記表面側に常時付勢されている。これにより、図５の右側（解除用）のタンブラ１２ａに示すように、対応する押しボタン７が押動操作されると、係止部１２ｅが位置決めバネ２４の先端掛止部２４ａに掛止されて、当該タンブラ１２ａは戻しバネ２７の付勢力に抗して押動操作位置で維持されている。この状態から、クリア作動体１３を位置決めバネ２４と共に上記長手方向上側に摺動させると係止部１２ｅと位置決めバネ２４との係合が解かれて、図５の左側（非解除用）のタンブラ１２ｂと同様に、右側のタンブラ１２ａは戻しバネ２７の付勢力によってケーシング３ａの表面側に押し出されて非押動操作位置に復帰する。
【００３４】
複数のタンブラ１２のうち、解錠用のタンブラ１２ａでは、図６（ｂ）に示すように、解除溝１２ｄの方が規制部１２ｃよりもケーシング３ａの表面側に形成されている。このため、この解錠用のタンブラ１２ａが押動操作位置にあるときには、その解除溝１２ｄがスライダ１７の枠内に位置して、スライダ１７の凸部１７ｂが当該タンブラ１２ａと接触しなくなる。一方、このタンブラ１２ａが非押動操作位置にあるときには、その規制部１２ｃがスライダ１７の凹部１７ａに入り込んで凸部１７ｂと係合することにより、同スライダ１７の上記長手方向の上側へのスライド移動を規制する。
【００３５】
また、非解錠用のタンブラ１２ｂでは、図６（ａ）に示すように、規制部１２ｃの方が解除溝１２ｄよりもケーシング３ａの表面側に形成されている。このため、この非解錠用のタンブラ１２ｂが押動操作位置にあるときには、その規制部１２ｃがスライダ１７の枠内に位置して凹部１７ａに入り込み、スライダ１７の凸部１７ｂと係合することで同スライダ１７の長手方向の上側へのスライド移動を規制する。一方、このタンブラ１２ｂが非押動操作位置にあるときには、その解除溝１２ｄがスライダ１７の枠内に位置して、スライダ１７の凸部１７ｂが当該タンブラ１２ｂと接触しなくなる。
【００３６】
以上のように、上記施錠ロック機構１１では、いずれか一つのタンブラ１２の規制部１２ｃがスライダ１７の凸部１７ｂと係合することにより、タンブラ１２は当該スライダ１７のスライド移動を規制する。そして、タンブラ１２の規制部１２ｃとスライダ１７の凸部１７ｂとの全ての係合状態が解除された場合、つまり解錠用のタンブラ１２ａのみが対応する押しボタン７で押動操作された場合に限り、タンブラ１２は同スライダ１７のケーシング３ａ内での解錠方向（上記長手方向上側）へのスライド移動を許容する。
【００３７】
＜押しボタン＞
上記各押しボタン７は、図５に示すように、有底筒状に形成されたケース７ａと、このケース７ａ内に取り付けられた復帰バネ７ｂとを備えている。この復帰バネ７ｂの一端部はケース７ａの底面に接続され、他端部は上記タンブラ支持台１９の室外側に突設した突片２９に接続されている。これにより、押しボタン７を押動操作しこの押しボタン７に連結されたタンブラ１２を押動操作位置に移動させた後は、当該押しボタン７だけがその復帰バネ７ｂによってケーシング３ａの表面側の元の位置に自動的に復帰する。
【００３８】
＜遊星ギヤ機構＞
図３及び図４において、上記遊星ギヤ機構１８は、ケーシング３ａ内で室外ノブ８の上記駆動ギヤを兼用したサンギヤ３１と、このサンギヤ３１のケーシング３ａの長手方向上側及び下側に配置されて当該サンギヤ３１と噛合する遊星ギヤ３２ａ，３２ｂとを備えている。サンギヤ３１及び遊星ギヤ３２ａ，３２ｂは、基板１６に形成された円溝３３内に配置されており、サンギヤ３１は円溝３３の中心に配置されている。
【００３９】
また、遊星ギヤ機構１８は、上記円溝３３の側壁に一体に形成された内歯３４ａ，３４ｂを備えている。各内歯３４ａ，３４ｂには、それぞれ遊星ギヤ３２ａ，３２ｂが噛み合っている。そして、各遊星ギヤ３２ａ，３２ｂが、室外ノブ８に応動するサンギヤ３１の回動動作に伴って、当該サンギヤ３１及び対応する上記内歯３４ａ，３４ｂと噛み合うことにより、各遊星ギヤ３２ａ，３２ｂは、自転しながら、サンギヤ３１の周りを公転するようになっている。
【００４０】
また、上記内歯３４ａ，３４ｂは、室外ノブ８の回動範囲に基づいて円溝３３の側壁に設けられており、その室外ノブ８に応動する遊星ギヤ３２ａ，３２ｂの各公転範囲に対応して形成されている。また、図４において、上側の遊星ギヤ３２ａは、サンギヤ３１に対する公転範囲がスライダ１７の移動範囲と重なるように配置されており、スライダ１７の下端部は、サンギヤ３１の回動軸近くまで延設されている。
また、スライダ１７の下端部には、同図に示すように、サンギヤ３１側に対向配置される半円弧状の逃げ凹部１７ｃが形成されており、これにより、スライダ１７の下端部は、サンギヤ３１に近接して配置されている。
【００４１】
図３において、サンギヤ３１の室内側端部（図中の左端部）は、基板１６を貫通して室内側に引き出されており、この端部中心部に形成された扇形状の連結孔３１ａ（図４）に上記ラッチ駆動軸１０の一端部がその回転方向で遊びをもって接続されている。一方、サンギヤ３１の室外側端部（図中の右端部）は、室外ノブ８側に突出されている。そして、このサンギヤ３１の室外側端部には室外ノブ８の回動体２８が連結されており、サンギヤ３１は室外ノブ８と一体的に回動して上記駆動ギヤとして機能するようになっている。
【００４２】
図４において、基板１６の上記円溝３３の底部には、当該円溝３３と同心の円弧状の長穴４２が形成されている。この長穴４２には、サンギヤ３１と共に回動するギヤ案内３５に固定された解除ピン３６の一端部が挿入されており、サンギヤ３１の公転によって解除ピン３６がギヤ案内３５と共に回動するときに、解除ピン３６は上記長穴４２によって案内されるようになっている。また、解除ピン３６の他端部は、スライダ１７の下端面に近接して配置されており、解除ピン３６がギヤ案内３５と共に回動したときにスライダ１７の下端面に当接するようになっている。
【００４３】
これにより、室外ノブ８に加えられた解錠方向への操作力が回動体２８を介してサンギヤ３１に伝えられると、遊星ギヤ３２ａ，３２ｂがサンギヤ３１からの回動力により内歯３４ａ，３４ｂに沿って室外ノブ８と同方向に回動（公転）する。この回動に伴って解除ピン３６が、案内ギヤ３５と共に回動してスライダ１７の下端面に当接することで、スライダ１７をケーシング３ａの上側への直線運動を行わせることができる。
【００４４】
＜回動体＞
図８は、回動体２８及びカム部材４０を室内側から見たときの拡大平面図である。図３及び図８を参照して、回動体２８は、回動芯材３７と、この回動芯材３７が組付けられた筒状の軸受け部３８と、この軸受け部３８に巻き付けられた巻きバネ３９とを備えており、室外ノブ８のつまみ部８ａへの操作に応じて回動するようになっている。
【００４５】
回動芯材３７は、一端部が室外ノブ８に結合されるとともに、他端部がサンギヤ３１に結合されており、室外ノブ８への回転操作に応じてサンギヤ３１を駆動するように構成されている。また、巻きバネ３９の自由端はケーシング３ａの内面に掛止されており、室外ノブ８は、この巻きバネ３９の弾性力によって回動操作後に原状復帰されるようになっている。
【００４６】
＜カム部材＞
回動体２８には、その軸受け部３８の室内側にカム部材４０が同軸心状に設けられている。カム部材４０は、そのほぼ中心部分にサンギヤ３１の室外側端部を挿通可能な挿通孔４０ａが形成された板材により構成されている。このカム部材４０には、図８に示すように、例えば取付孔４０ｂが周方向に３箇所形成されており、各取付孔４０ｂに軸受け部３８の室内側に設けられた突起３８ａが通された状態で、カム部材４０は回動体２８に組み付けられている。
【００４７】
カム部材４０のケーシング３ａの上側には、クリア作動体１３の下端部１３ａに当接可能な円弧状のカム面４０ｃ，４０ｄが左右対称状に設けられており、室外ノブ８が左回り及び右回りのいずれかの方向に回動されたときに、対応する一方のカム面４０ｃ，４０ｄが上記下端部１３ａに当たってクリア作動体１３をケーシング３ａの上側にスライド移動させる。
【００４８】
これにより、カム部材４０は、不正確な上記解錠コードが入力操作されて押動操作位置に誤って保持されているタンブラ１２をその非押動操作位置に戻す、押しボタン７への誤操作解除を行えるようになっている。また、カム部材４０は、正確な解錠コードが入力されて解錠用のタンブラ１２ａのみが押動操作位置で保持されているときに、室外ノブ８への解錠操作に応じてクリア作動体１３を作動して、その室外ノブ８の原状復帰とともに、解錠用のタンブラ１２ａを非押動操作位置に自動的に戻して押しボタン錠１を施錠状態にすることも可能に構成されている。
【００４９】
＜裏蓋＞
図９は、本体部３を室内側から見たときの平面図である。図３及び図９において、基板１６の室内側には、複数のタンブラ挿通孔１５の室内側の開口を施蓋する上記裏蓋２０が着脱自在に取り付けられている。裏蓋２０の外面は、施蓋状態において基板１６の室内側の外面１６ｂと略面一に配置されている。また、裏蓋２０の外面には、ケーシング３ａに刻印されている解錠コード（図２（ａ）参照）に対応する数字（０〜９）およびアルファベット（Ａ，Ｂ）が刻印され表示されている。
【００５０】
裏蓋２０には、各タンブラ挿通孔１５に対応する位置に検査孔２０ａが厚み方向に貫通して形成されている。これにより、例えば、解錠用及び非解錠用のタンブラ１２ａ，１２ｂを互いに異なる色に着色しておけば、解錠コードに対応するタンブラ挿通孔１５に解錠用のタンブラ１２ａが挿し込まれているか否かを、裏蓋２０を施蓋した状態であっても容易に確認することができる。
【００５１】
＜保持部＞
基板１６の外面１６ｂには、裏蓋２０を施蓋状態で保持する一対の保持部４３が設けられている。本実施形態のこれら保持部４３は、裏蓋２０の図中上側の右部分および図中下側の左部分をそれぞれ施蓋状態で保持している。保持部４３は、基板１６の外面１６ｂ上に配置された押さえ板４３ａと、この押さえ板４３ａを外面１６ｂに沿って回動自在に支持する回動軸部４３ｂとを有している。
【００５２】
押さえ板４３ａは、施蓋状態の裏蓋２０を外面側（裏面側）から押さえる当接位置（図９の実線位置）と、当該外面側を押さえない非当接位置（図９の二点鎖線位置）との間で回動するとともに、上記当接位置および非当接位置でそれぞれ保持されるようになっている。裏蓋２０は、施蓋状態において上記戻しバネ２７（図３参照）の付勢力により室内側へ付勢されているが、当接位置にある押さえ板４３ａに裏蓋２０の外面が当接することで、裏蓋２０を基板１６から脱落することなく施蓋状態で保持することができる。
【００５３】
また、一対の保持部４３の押さえ板４３ａを当接位置から非当接位置へ回動することで、裏蓋２０を基板１６から取り外すことができる。その際、裏蓋２０のバネ収納部２６（図３参照）に収容された戻しバネ２７も裏蓋２０と共に取り外される。これにより、タンブラ挿通孔１５の開口が開放されるので、各タンブラ挿通孔１５に差し込まれている任意の解錠用のタンブラ１２ａと任意の非解錠用のタンブラ１２ｂとを差し替えることで、解錠コードを変更することができる。
【００５４】
図９において、基板１６の外面１６ｂには、図中上側の保持部４３に対する幅方向反対側の位置に矩形状の通し孔１６ｃが形成されている。通し孔１６ｃは、上記スライダ１７が長手方向上側にスライド移動する範囲と、室内外方向から見て重なる位置に配置されている。そして、この通し孔１６ｃには、ベース部２の後述する規制部材６３（図１０参照）が挿入されるようになっている。
【００５５】
＜突出部＞
図３において、ケーシング３ａの室内側における長手方向両端部の端面にはボルト穴３ａ１が形成されており、これらの各ボルト穴３ａ１にはロックボルト４４（図９も参照）が螺合されている。ロックボルト４４は、ネジ部４４ａ、締付部４４ｂ、ピン部４４ｃおよびヘッド部４４ｄが、その順に一体に形成されたものである。ネジ部４４ａは上記ボルト穴３ａ１に螺合されており、残りの締付部４４ｂ、ピン部４４ｃおよびヘッド部４４ｄは、ケーシング３ａよりも室内側に突出する突出部４５を構成している。この突出部４５は、本体部３をベース部２に取り付けることで、ベース部２の後述する挿入孔５３（図１０参照）に挿入されるようになっている。また、突出部４５は、締付部４４ｂの室内側の端面、ピン部４４ｃの外周、およびヘッド部４４ｄの室外側の端面により断面凹状に形成された環状溝４５ａを有する。
【００５６】
［ベース部］
図１０は、ベース部２及び基台４の内部構成を示す縦断面図である。図１０において、ベース部２は、外側ベース体５１と、この外側ベース体５１の室内側に取り付けられた内側ベース体５２とを備えている。外側ベース体５１の室外側には、本体部３が着脱自在に取り付けられる取付溝５１ａが形成されている（図１１も参照）。本体部３は、その裏面側（基板１６及び裏蓋２０の外面）を取付溝５１ａの底面に当接させた状態、つまり本体部３の裏面側を覆い隠した状態で当該取付溝５１ａに取り付けられる。
【００５７】
＜挿入孔＞
図１１は、ベース部２の外側ベース体５１を室外側から見たときの平面図である。図１０及び図１１において、外側ベース体５１の取付溝５１ａの底部には、上下両端部において厚み方向に貫通する貫通孔５１ｂが形成されている。また、これらの貫通孔５１ｂに対応する内側ベース体５２の室外側には凹溝５２ａが形成されている。なお、図１０では、外側ベース体５１の長手方向下側の貫通孔５１ｂ、及び内側ベース体５２の長手方向下側の凹溝５２ａのみを示しており、長手方向上側の貫通孔５１ｂ及び凹溝５２ａは図示を省略している。
【００５８】
本実施形態では、外側ベース体５１の貫通孔５１ｂと、これに対応する内側ベース体５２の凹溝５２ａとによって、本体部３の突出部４５が挿入される挿入孔５３が構成されている。図１０に示すように、挿入孔５３に突出部４５が挿入された状態では、突出部４５のヘッド部４４ｄが内側ベース体５２の凹溝５２ａに挿入され、突出部４５の締付部４４ｂが外側ベース体５１の貫通孔５１ｂに挿入されている。
【００５９】
また、取付溝５１ａの底部には、その図中上側の幅方向一方側に、後述するロック部６０の規制部材６３が挿通される矩形状の挿通孔５１ｃが形成されている。さらに、図１１に示すように、取付溝５１ａの底部には、本体部３側の上記各保持部４３が配置される一対の溝部５１ｄと、上記ラッチ駆動軸１０が挿通される挿通孔５１ｅとが形成されている。
【００６０】
＜ロック部＞
図１０において、外側ベース体５１と内側ベース体５２との間には収容スペース５４が形成されており、この収容スペース５４には、本体部３がベース部２の取付溝５１ａに取り付けられた状態で当該本体部３をロックするロック部６０が収容されている。ロック部６０は、第１及び第２ロックプレート６１，６２と、外側回動体６５とを有している。
【００６１】
第１及び第２ロックプレート６１，６２は、互いに室内外方向に重ね合わせた状態で、収容スペース５４の外側ベース体５１側に片寄って配置されている。
図１２は、外側ベース体５１と第１及び第２ロックプレート６１，６２とを分解して室内側から見たときの平面図である。図１２において、第１及び第２ロックプレート６１，６２は、外側ベース体５１の長手方向に延びる平板部材からなり、プレート本体６１ａ，６２ａと、そのプレート本体６１ａ，６２ａの長手方向一端部（図中の上端部）において当該プレート本体６１ａ，６２ａよりも幅広に形成された幅広部６１ｂ，６２ｂとを有している。
【００６２】
プレート本体６１ａ，６２ａの長手方向両端部には、本体部３の突出部４５がそれぞれ挿通される鉤孔６６，６７が形成されている。プレート本体６１ａの鉤孔６６は、長孔部６６ａと、その長手方向一端部（図中の下端部）において連続して形成された円孔部６６ｂとを有している。また、プレート本体６２ａの鉤孔６７は、長孔部６７ａと、その長手方向他端部（図中の上端部）において連続して形成された円孔部６７ｂとを有している。
【００６３】
長孔部６６ａ，６７ａの幅寸法は、円孔部６６ｂ，６７ｂの孔径よりも小さく形成されている。具体的には、長孔部６６ａ，６７ａの幅寸法は、上記突出部４５のピン部４４ｃ（図１０参照）の外径よりも若干大きく形成されており、円孔部６６ｂ，６７ｂの孔径は、上記突出部４５のヘッド部４４ｄ（図１０参照）の外径よりも若干大きく形成されている。
【００６４】
また、プレート本体６１ａ，６２ａには、図中下側の鉤孔６６，６７の近傍に、上記ラッチ駆動軸１０を貫通する長孔６８，６９が形成されている。さらに、プレート本体６１ａ，６２ａには、図中上側の鉤孔６６，６７の近傍における幅方向一方側（図中の左側）の側面に係合溝６１ｃ，６２ｃが形成されている。
【００６５】
第１ロックプレート６１の幅広部６１ｂは、その幅方向一方側（図中の左側）の側縁が円弧状に形成された円弧部６１ｂ１を有する。また、第２ロックプレート６２の幅広部６２ｂは、その幅方向他方側（図中の右側）の側縁が円弧状に形成された円弧部６２ｂ１を有する。
上記幅広部６１ｂ，６２ｂには、上記外側回動体６５の軸部６５ｂ（後述）を貫通する長孔７０，７１と、当該長孔７０，７１よりも円弧部６１ｂ１，６２ｂ１側において連結ピン７４ａ，７４ｂ（後述）を貫通するガイド孔７２，７３とが形成されている。
【００６６】
外側ベース体５１の室内側には、第１及び第２ロックプレート６１，６２を重ね合わせた状態で、各ロックプレート６１，６２の長手方向へのスライド移動を案内するガイド溝５１ｆが形成されている。ガイド溝５１ｆは、各ロックプレート６１，６２のプレート本体６１ａ，６２ａが配置される第１溝部５１ｆ１と、各ロックプレート６１，６２の幅広部６１ｂ，６２ｂが配置される第２溝部５１ｆ２とを有している。第２溝部５１ｆ２の底部には、その中心部に中心溝５１ｇが形成されるとともに、その中心溝５１ｇの径外側において当該中心溝５１ｇと同心の円弧溝５１ｈが２つ形成されている。
【００６７】
図１３は、ベース部２の内部構成を示す横断面図である。図１２及び図１３において、上記外側回動体６５は、円板部６５ａと、円板部６５ａの室外側（図１３の上側）に突設された円柱状の軸部６５ｂと、円板部６５ａの室内側（図１３の下側）に突設された筒状の連結部６５ｃとを有している。円板部６５ａには、その周方向の２箇所に室内外方向に貫通する一対の貫通孔６５ａ１が形成されている。
【００６８】
外側回動体６５の軸部６５ｂは、互いに重なり合ったロックプレート６１，６２の長孔７０，７１を貫通して、外側ベース体５１の中心溝５１ｇに回動自在に挿入されている。また、外側回動体６５の円板部６５ａの貫通孔６５ａ１には、それぞれ連結ピン７４ａ，７４ｂの一端部が固定されている。一方の連結ピン７４ａの他端部は、第１ロックプレート６１のガイド孔７２を貫通して外側ベース体５１の一方の円弧溝５１ｈに摺動可能に挿入されている。また、他方の連結ピン７４ｂの他端部は、第２ロックプレート６２のガイド孔７３を貫通して外側ベース体５１の他方の円弧溝５１ｈに摺動可能に挿入されている。
【００６９】
これにより、外側回動体６５をその軸部６５ｂを中心として一方向又は他方向に回動させると、連結ピン７４ａ，７４ｂが外側回動体６５と共に回動する。この回動によって、各連結ピン７４ａ，７４ｂが各ロックプレート６１，６２の長孔７０，７１内を移動してその長手方向一端部又は他端部に当接することで、各ロックプレート６１，６２を長手方向の一方側又は他方側への直線運動（スライド移動）を行わせることができる。
【００７０】
本実施形態では、外側回動体６５をその軸部６５ｂを中心として、図１２の時計回り方向に回動させると、図１４に示すように、第１ロックプレート６１は連結ピン７４ａを介して図中の上側にスライド移動するとともに、第２ロックプレート６２は連結ピン７４ｂを介して図中の下側にスライド移動したロック解除位置となる。
【００７１】
上記ロック解除位置では、両ロックプレート６１，６２の鉤孔６６，６７の円孔部６６ｂ，６７ｂ同士が互いに重なり合った状態となり、本体部３の各突出部４５（図１０参照）を、上記重なり合った円孔部６６ｂ，６７ｂを貫通して、ベース部２の挿入孔５３（図１０参照）に抜き差しすることができる。したがって、ロック解除位置では、ロック部６０による本体部３のロックを解除した状態となり、ベース部２に対して本体部３を着脱することができる。
【００７２】
一方、本体部３をベース部２に取り付けた状態において、外側回動体６５をその軸部６５ｂを中心として、図１２の反時計回り方向に回動させると、図１５に示すように、第１ロックプレート６１は連結ピン７４ａを介して図中の下側にスライド移動するとともに、第２ロックプレート６２は連結ピン７４ｂを介して図中の上側にスライド移動したロック位置となる。
【００７３】
上記ロック位置では、図１０も参照して、第１ロックプレート６１の鉤孔６６における長孔部６６ａの図中上端の円弧壁部６６ａ１と、第２ロックプレート６２の鉤孔６７の長孔部６７ａの図中下端の円弧壁部６７ａ１とが、本体部３における突出部４５のピン部４４ｃを図中の上下方向から挟み込むように係合する。これにより、突出部４５を挿入孔５３から抜き出そうとすると、突出部４５のヘッド部４４ｄが第１ロックプレート６１に当接するので、突出部４５をベース部２の挿入孔５３から離脱不能に保持することができる。したがって、ロック位置では、ロック部６０により本体部３をベース部２に取り付けた状態でロックすることができ、且つそのロック状態で上記円弧壁部６６ａ１，６７ａ１により本体部３が挿入孔５３の径方向にがたつくのを防止することができる。
【００７４】
したがって、本実施形態では、例えば、第１ロックプレート６１の鉤孔６６の円弧壁部６６ａ１は、挿入孔５３の周壁から径内方向へ出退自在な第１係合部として機能する。そして、第２ロックプレート６２の鉤孔６７の円弧壁部６７ａ１は、挿入孔５３の周壁であって上記第１係合部に対して径方向反対側の位置から径内方向へ出退自在な第２係合部として機能する。なお、円弧壁部６６ａ１を上記第２係合部として、円弧壁部６７ａ１を上記第１係合部としてそれぞれ機能させてもよい。
【００７５】
なお、上記のように両ロックプレート６１，６２がスライド移動するとき、ラッチ駆動軸１０は、両ロックプレート６１，６２の長孔６８，６９内を相対的に移動するとともに、後述する連結軸８２は、両ロックプレート６１，６２の長孔７０，７１内を相対的に移動する。このため、両ロックプレート６１，６２のスライド移動が、ラッチ駆動軸１０及び連結軸８２によって阻害されることはない。
【００７６】
図１０において、ロック部６０は、収容スペース５４側から外側ベース体５１の挿通孔５１ｃ（図１１も参照）に挿通されて室外側へ突出した状態で室内外方向へ移動自在な規制部材６３と、この規制部材６３を室外側へ付勢するコイルバネ６４とをさらに有している。
【００７７】
＜規制部材＞
図１６は、規制部材６３及びコイルバネ６４を示す図１０の要部拡大断面図である。図１６において、規制部材６３は、収容スペース５４内において外側ベース体５１に固定されたガイド部材５５により室内外方向へ移動自在に取り付けられた規制基部６３ａと、この規制基部６３ａから室外側に突出する連動部６３ｂとを有している。
【００７８】
連動部６３ｂは、常時は外側ベース体５１の挿通孔５１ｃに挿通されている。そして、連動部６３ｂは、本体部３をベース部２に取り付けることで、本体部３の基板１６の通し孔１６ｃ（図９も参照）に挿通され、連動部６３ｂの先端部が当該基板１６よりも室外側へ突出した状態となる。
連動部６３ｂの先端面には、図中の上端部から下端に向かって室外側から室内側に傾斜するテーパ面６３ｂ１が形成されている。このテーパ面６３ｂ１には、スライダ１７の図中上端部が当接している。
【００７９】
コイルバネ６４の一端部は内側ベース体５２に接続され、他端部は規制基部６３ａの室内側端面に接続されており、規制部材６３を室外側に常時付勢している。規制基部６３ａは、コイルバネ６４の付勢力により外側ベース体５１の室内側の外面に当接している。これにより、規制部材６３が必要以上に室外側へ突出するのを防止している。
【００８０】
図１７は、規制部材６３及びコイルバネ６４を示す横断面図である。図１６及び図１７において、規制部材６３の規制基部６３ａは、外側ベース体５１の幅方向内側に向かって延びる係合凸部６３ａ１を有する。係合凸部６３ａ１は、両ロックプレート６１，６２の係合溝６１ｃ，６２ｃ（図１５も参照）に係脱自在である。規制部材６３は、第１及び第２ロックプレート６１，６２が上記ロック位置（図１５参照）にあるとき、コイルバネ６４の付勢力により係合凸部６３ａ１が両ロックプレート６１，６２の係合溝６１ｃ，６２ｃに係合した規制位置に保持されている。これにより、両ロックプレート６１，６２はロック位置にて保持されている。
【００８１】
図１６に示すように、規制部材６３が上記規制位置にある状態で、スライダ１７が解錠方向（図中の上側）へスライド移動すると、スライダ１７の図中上端部が規制部材６３のテーパ面６３ｂ１を押し付けることによって、規制部材６３はコイルバネ６４の付勢力を抗して室内側へ移動する。これにより、図１８に示すように、規制部材６３は、その係合凸部６３ａ１が上記係合溝６１ｃ，６２ｃとの係合を解除した規制解除位置に保持され、ロックプレート６１，６２はロック位置からロック解除位置への移動が許容される。
【００８２】
以上の構成により、本実施形態では、スライダ１７が解錠方向へスライド移動した場合、すなわち、押しボタン７により予め設定された解錠コードを正確に入力し、且つ室外ノブ８に解錠方向への操作力を加えた場合に限り、両ロックプレート６１，６２のロック位置での保持が解除され、ロック部６０による本体部３のロックを解除可能な状態となる。
【００８３】
［操作部］
図１０において、押しボタン錠１は、ドアＤの室内側からロック部６０による本体部３のロックを解除操作する操作部８０をさらに備えている。操作部８０は、基台４の図中上端部の室外側に回動自在に設けられた内側回動体８１に対して着脱自在に取り付けられている。内側回動体８１は、室内側に突出する円柱状の軸部８１ａと、軸部８１ａの径外側に形成された一対の係止溝８１ｂと、室外側に突出する筒状の連結部８１ｃとを有している。
【００８４】
内側回動体８１の連結部８１ｃには、連結軸８２の一端部が内嵌して固定されており、この連結軸８２の他端部は、ドアＤ内において外側回動体６５の連結部６５ｃに内嵌して固定されている。これにより、内側回動体８１は、連結軸８２を介して外側回動体６５と共に回動自在とされている。
【００８５】
操作部８０は、室内側に突出するように形成されたつまみ部８０ａを有している。また、操作部８０には、内側回動体８１の軸部８１ａに対して着脱自在に外嵌される嵌合穴８０ｂと、内側回動体８１の各係止溝８１ｂに係脱自在に係止される係止部８０ｃとが形成されている。係止部８０ｃは、操作部８０の嵌合穴８０ｂを内側回動体８１の軸部８１ａに外嵌することで、内側回動体８１の各係止溝８１ｂに係止される。これにより、操作部８０を内側回動体８１と共に回動させることができる。その際、図２に示すように、操作部８０を「ＬＯＣＫ」位置と「ＦＲＥＥ」位置との間で回動操作することができる。
【００８６】
図２及び図１０において、操作部８０が上記ＬＯＣＫ位置にあるとき、第１及び第２ロックプレート６１，６２はロック位置（図１５参照）の状態にある。この状態から操作部８０を上記ＦＲＥＥ位置まで回動操作すると、内側回動体８１及び連結軸８２を介して外側回動体６５が回動する。そして、この回動に伴って連結ピン７４ａ，７４ｂを介して両ロックプレート６１，６２がスライド移動することで、当該両ロックプレート６１，６２はロック解除位置（図１４参照）となる。
【００８７】
［解錠コードの変更操作手順］
次に、ロック部６０により本体部３がロックされている状態から、本体部３をベース部２から取り外して解錠コードを変更する場合の操作手順について説明する。
図１０において、まず、押しボタン７により予め設定された解錠コードを正確に入力した後、室外ノブ８に解錠方向への操作力を加える。これにより、スライダ１７が図中上側へ移動することで、規制部材６３は規制位置から規制解除位置（図１８参照）へ移動し、第１及び第２ロックプレート６１，６２のロック位置（図１５参照）での保持が解除される。
【００８８】
次に、この状態を維持したまま、つまり室外ノブ８に解錠方向への操作力を加えたまま、室内側において操作部８０をＬＯＣＫ位置からＦＲＥＥ位置へ回動操作する（図２参照）。この回動操作により、両ロックプレート６１，６２は、上記ロック位置からそれぞれスライド移動してロック解除位置（図１４参照）となる。これにより、ベース部２に対する本体部３のロックが解除される。
【００８９】
次に、本体部３をベース部２から取り外し、図９に示すように、本体部３側における一対の押さえ板４３ａを当接位置（図中の実線位置）から非当接位置（図中の二点鎖線位置）へ回動させ、裏蓋２０を基板１６から取り外す。これにより、タンブラ挿通孔１５（図３参照）の開口が開放されるので、この開口から各タンブラ挿通孔１５に差し込まれている任意の解錠用のタンブラ１２ａと任意の非解錠用のタンブラ１２ｂとを差し替えることで、解錠コードを変更することができる。
【００９０】
解錠コードを変更した後は、裏蓋２０によりタンブラ挿通孔１５の開口を施蓋した状態で、一対の押さえ板４３ａを非当接位置から当接位置へ回動させ、裏蓋２０を施蓋状態に保持する。そして、本体部３をベース部２に取り付け、裏蓋２０をベース部２により覆い隠した状態とし、この状態で操作部８０をＦＲＥＥ位置からＬＯＣＫ位置へ回動操作する。これにより、両ロックプレート６１，６２が、ロック解除位置からロック位置へそれぞれスライド移動することで、本体部３はベース部２に取り付けられた状態でロックされる。
【００９１】
なお、解錠コードの変更作業を行わない通常時の状態では、操作部８０は、内側回動体８１から取り外され、所定の保管場所に保管される。そして、操作部８０を取り外すことによって露出した、内側回動体８１の軸部８１ａ及び係止溝８１ｂ（図１０参照）は、図示しない蓋部材によって覆い隠される。これにより、通常時において内側回動体８１が誤って回動操作されるのを防止することができる。
【００９２】
［作用効果］
以上、本実施形態の本実施形態の押しボタン錠１では、通常時は、裏面側からタンブラ１２が挿し込まれた本体部３の裏面側を、ドアＤの室外側に固定されたベース部２に取り付けた状態で本体部３をロック部６０によりロックすることで、本体部３の裏面側はベース部２によって覆い隠される。これにより、通常時は、本体部３の裏面側からタンブラ１２を抜き差しすることができない状態、すなわち解錠コードの変更を行うことができない状態に保持することができる。
【００９３】
上記通常時の状態から、ドアＤの室内側に設けられた操作部８０により、ロック部６０による本体部３のロックを解除操作し、本体部３をベース部２から取り外すことで、本体部３の裏面側からタンブラ１２を抜き差し自在な状態とすることができる。これにより、本体部３に差し込まれている任意の解錠用のタンブラ１２ａと任意の非解錠用のタンブラ１２ｂとを差し替えることで、解錠コードを変更することができる。したがって、従来のように、ドアの室内側および室外側に取り付けられている押しボタン錠の全ての部品を取り外す必要がないので、解錠コードの変更を容易に行うことができる。
また、操作部８０はドアＤの室内側に設けられているので、ユーザ以外の第三者は、ドアＤの室外側にいる限り、操作部８０を操作することができない。したがって、第三者によって解錠コードが勝手に変更されるのを防止することができる。
【００９４】
また、本実施形態では、ロック部６０は、本体部３をロックした状態で、押しボタン７により解除用のタンブラ１２ａのみが押動操作されたときに限り、本体部３のロックを解除可能な状態となる。これにより、押しボタン７により解錠用のタンブラ１２ａのみが押動操作された場合、すなわち解錠コードを知っている場合に限り、ロック部６０による本体部３のロックを解除操作することができる。このため、ユーザ以外の第三者は、ドアＤの室内側にいても解錠コードを知らない限り、解錠コードの変更を行うことができない。したがって、第三者によって解錠コードが勝手に変更されるのをさらに効果的に防止することができる。
【００９５】
また、本実施形態では、本体部３の突出部４５は、ベース部２の挿入孔５３に挿入された状態で、ロック部６０の第１及び第２係合部６６ａ１，６６ａ２により挿入孔５３の径方向両側から挟み込まれた状態で当該挿入孔５３から離脱不能に保持される。これにより、本体部３をベース部２にロックした状態で、本体部３が挿入孔５３の径方向にがたつくのを防止することができる。
【００９６】
また、本実施形態では、本体部３は、その長手方向に所定間隔をおいて複数の突出部４５を有し、各突出部４５は、ベース部２に形成された複数の挿入孔５３にそれぞれ挿入された状態で、ロック部６０の第１及び第２係合部６６ａ１，６６ａ２により径方向両側から挟み込まれるので、本体部３が挿入孔５３の径方向にがたつくのをさらに効果的に防止することができる。
【００９７】
また、本実施形態では、本体部３をベース部２から取り外した状態で、本体部３側の押さえ板４３ａを当接位置から非当接位置へ移動（スライド回動）操作することで、本体部３から裏蓋２０を取り外すことができ、これによって、各タンブラ挿通孔１５に挿通されているタンブラ１２を差し替えることができる。したがって、本体部３から裏蓋２０を取り外すときにドライバー等の工具を用いる必要がないので、解錠コードの変更をさらに容易に行うことができる。
【００９８】
なお、今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
例えば、本発明の押しボタン錠１は、玄関ドアに適用する場合について説明したが、屋内に設けられた扉などを施錠する施錠装置として用いてもよい。
【００９９】
また、押しボタン７の設置数やその配列方法などは、上記のものに何等限定されるものではなく例えば複数の押しボタンが一列に配置されたものにも適用することができる。また、操作部８０が取り付けられる内側回動体８１は、基台４に取り付られているが、ドアＤに直接取り付けられていてもよい。また、本体部３の突出部４５およびベース部２の挿入孔５３は、１個または３個以上設けられていてもよい。
【０１００】
また、本実施形態のロック部６０は、２枚のロックプレート６１，６２を用いているが、本体部３をベース部２にロックできるものであれば、１枚のロックプレートのみを用いてもよいし、ロックプレート以外のものを用いて構成してもよい。また、本実施形態では、裏蓋２０を施蓋状態で保持する保持部４３として、押さえ板４３ａ等を用いているが、ボルト等の他の固定手段を用いてもよい。
【０１０１】
また、本実施形態では、本体部３がロックされている状態から、押しボタン７及び室外ノブ８の操作をすることで本体部３のロックを解除可能な状態とし、更に操作部８０を操作することで本体部３のロックを解除しているが、本体部３がロックされている状態から、操作部８０を操作するだけで本体部のロックを解除するようにしてもよい。この場合、ロック部６０による本体部３のロックを解除操作可能な専用のロック解除キーを操作部８０とし、そのロック解除キーが挿入されるキー孔を室内側に設けてもよい。
【符号の説明】
【０１０２】
１  押しボタン錠
２  ベース部
３  本体部
７  押しボタン
１２  タンブラ
１２ａ  解錠用のタンブラ
１２ｂ  非解錠用のタンブラ
１５  タンブラ挿通孔（挿通孔）
２０  裏蓋
４３  保持部
４３ａ  押さえ板
４５  突出部
５３  挿入孔
６０  ロック部
６６ａ１  円弧壁部（第１係合部）
６７ａ１  円弧壁部（第２係合部）
８０  操作部
Ｄ  ドア
【図１】
0006595314.tif 000002
【図２】
0006595314.tif 000003
【図３】
0006595314.tif 000004
【図４】
0006595314.tif 000005
【図５】
0006595314.tif 000006
【図６】
0006595314.tif 000007
【図７】
0006595314.tif 000008
【図８】
0006595314.tif 000009
【図９】
0006595314.tif 000010
【図１０】
0006595314.tif 000011
【図１１】
0006595314.tif 000012
【図１２】
0006595314.tif 000013
【図１３】
0006595314.tif 000014
【図１４】
0006595314.tif 000015
【図１５】
0006595314.tif 000016
【図１６】
0006595314.tif 000017
【図１７】
0006595314.tif 000018
【図１８】
0006595314.tif 000019